(57)【要約】【課題】シュリンクパックされた包装硬貨に対応することができるような貨幣管理装置を提供すること。【解決手段】本発明は、貨幣を収納する収納ドロアと、前記収納ドロアの内部に設けられ、少なくとも１つのシュリンクパックされた包装硬貨を収納するシュリンクパック硬貨保管容器と、前記収納ドロアに収納された貨幣の量を測定する測定手段と、を備えたことを特徴とする貨幣管理装置である。【選択図】図６
2015046148.tif 000002
【特許請求の範囲】
【請求項１】
貨幣を収納する収納ドロアと、
前記収納ドロアの内部に設けられ、少なくとも１つのシュリンクパックされた包装硬貨を収納するシュリンクパック硬貨保管容器と、
前記収納ドロアに収納された貨幣の量を測定する測定手段と、
を備えたことを特徴とする貨幣管理装置。
【請求項２】
前記測定手段で測定された貨幣の量を記憶する記憶手段と、
前記収納ドロアに入出される貨幣の量を入力するための入力手段と、
前記入力手段で入力された貨幣の量と、前記記憶手段に記憶された貨幣の量と、を精査する精査手段と、
を備えたことを特徴とする請求項1に記載の貨幣管理装置。
【請求項３】
前記精査手段は、前記収納ドロアへの貨幣の入出操作の度に作動するようになっている
ことを特徴とする請求項２に記載の貨幣管理装置。
【請求項４】
前記測定手段は、貨幣の重量を測定する重量センサを有している
ことを特徴とする請求項１乃至３のいずれかに記載の貨幣管理装置。
【請求項５】
前記測定手段は、収納された貨幣の空間占有状態を測定するセンサを有している
ことを特徴とする請求項１乃至３のいずれかに記載の貨幣管理装置。
【請求項６】
前記シュリンクパック硬貨保管容器には、シュリンクパックされた包装硬貨を収納するシュリンクパック硬貨保管部の他に、バラの包装硬貨を収納するバラ包装硬貨保管部も設けられている
ことを特徴とする請求項１乃至５のいずれかに記載の貨幣管理装置。
【請求項７】
前記収納ドロアの内部には、複数の硬貨金種に対応すべく、複数のシュリンクパック硬貨保管容器が設けられている
ことを特徴とする請求項１乃至６のいずれかに記載の貨幣管理装置。
【請求項８】
前記収納ドロアにおいて、前記シュリンクパック硬貨保管容器は、着脱自在である
ことを特徴とする請求項１乃至７のいずれかに記載の貨幣管理装置。
【請求項９】
貨幣を収納する収納ドロアと、
前記収納ドロアの内部に設けられ、複数のシュリンクパックされた包装硬貨を並んだ状態で収納するシュリンクパック硬貨保管容器と、
を備え、
前記シュリンクパック硬貨保管容器は、当該シュリンクパック硬貨保管容器が収納するシュリンクパックされた包装硬貨の少なくとも１つについて、掴み代を提供する形態または機構を有している
ことを特徴とする貨幣管理装置。
【発明の詳細な説明】
【技術分野】
【０００１】
本発明は、貨幣を収納する収納ドロアと、収納ドロアに収納された貨幣の量を測定する測定手段と、を備えた貨幣管理装置に関する。
【背景技術】
【０００２】
特許文献１（実用新案登録２５９９２３２号公報）には、現金管理装置が開示されている。当該現金管理装置では、金種ごとに収納庫が設けられ、また、収納庫毎に重量測定手段が設けられている。当該重量測定手段によって、金種ごとの重量が測定され、当該重量から金種ごとの棒金の本数が計算される。計算された棒金の本数は、測定日時と共に記憶され、表示される。重量の測定、棒金の本数の計算及び記憶は、現金管理装置が操作される度に（データ変更がある度に）行われる。
【０００３】
入金の際に出納機内の現金が多くなって入らなくなった時に、当該入らなくなった現金がこのような装置に収納されている。そして、その出納機内の現金が少なくなった時に、このような装置から逆に現金が取り出され、出納機に補充されている。
【０００４】
このような装置を用いる場合、行員は、入出金を操作する時に、入金金額ないし出金金額を台帳などに記入する。
【０００５】
しかしながら、台帳に記入された入出金額と実際の入出金額とが異なっていると、問題が生じる。装置側では、実際の入出金額しか測定できないため、台帳に記入された入出金額が正しいかどうか精査できない。更に、このような装置は、誰が入出金の操作を行ったのかについて、管理を行っていない（行員であれば、誰でも収納庫を開閉することができる）。従って、例えば、行員が入出金額をごまかして不正を行うということが理論上可能である。
【０００６】
このような問題を解決するために、本件出願人は、個々の入出金の操作について容易に管理することができ、行員による誤操作及び不正を完全に防止することができるような貨幣管理装置を提供している（特許文献２：特許第５２９０６３１号公報）。
【先行技術文献】
【特許文献】
【０００７】
【特許文献１】実用新案登録２５９９２３２号公報
【特許文献２】特許第５２９０６３１号公報
【発明の開示】
【発明が解決しようとする課題】
【０００８】
特許文献２に開示された貨幣管理装置によれば、個々の入出金の操作について容易に管理することができ、行員による誤操作及び不正を完全に防止することができる。
【０００９】
一方、硬貨の流通は、包装硬貨を横一列に１０本（５００円硬貨の場合は５本）並べてシュリンクパックされた態様でなされることが多い。そのような包装硬貨を特許文献２に開示された貨幣管理装置に収納する場合、シュリンクパックのフィルムを剥がして、バラの包装硬貨として収納する必要がある。この作業は、手間がかかるし、一旦シュリンクパックのフィルムを剥がしてバラの包装硬貨としてしまうと、貨幣管理装置から再び別の場所にそれら包装硬貨を運搬する際、運搬し難いという問題があった。
【００１０】
本発明は、このような課題を解決するためになされたもので、シュリンクパックされた包装硬貨に対応することができるような貨幣管理装置を提供することを目的とする。
【課題を解決するための手段】
【００１１】
本発明は、貨幣を収納する収納ドロアと、前記収納ドロアの内部に設けられ、少なくとも１つのシュリンクパックされた包装硬貨を収納するシュリンクパック硬貨保管容器と、前記収納ドロアに収納された貨幣の量を測定する測定手段と、を備えたことを特徴とする貨幣管理装置である。
【００１２】
本発明によれば、シュリンクパックのフィルムを剥がしてバラの包装硬貨とする作業を要することなく、シュリンクパックされた状態のままで包装硬貨を収納することができる。これにより、シュリンクパックのフィルムを剥がす等の作業から解放される他、貨幣管理装置に収容されたそれらの包装硬貨を再び別の場所に運搬する際に非常に便利である。
【００１３】
本発明による貨幣管理装置は、好ましくは、前記測定手段で測定された貨幣の量を記憶する記憶手段と、前記収納ドロアに入出される貨幣の量を入力するための入力手段と、前記入力手段で入力された貨幣の量と、前記記憶手段に記憶された貨幣の量と、を精査する精査手段と、を更に備える。
【００１４】
この場合、収納ドロアに入出される貨幣の量を入力するための入力手段が用意され、精査手段によって、入力手段で入力された貨幣の量と記憶手段に記憶された貨幣の量とを精査することができる。これにより、使用者の誤操作を効果的に防止することができる一方、操作記録（入出記録）を管理することも極めて容易である。
【００１５】
好ましくは、前記精査手段は、前記収納ドロアへの貨幣の入出操作の度に作動するようになっている。これにより、個々の入出操作の各々を管理することができる。
【００１６】
例えば、前記測定手段は、収納保管された貨幣の重量を測定する重量センサを有している。あるいは、前記測定手段は、収納保管された貨幣の空間占有状態を測定するセンサを有している。
【００１７】
なお、シュリンクパック硬貨保管容器には、シュリンクパックされた包装硬貨を収納するシュリンクパック硬貨保管部の他に、バラの包装硬貨を収納するバラ包装硬貨保管部が設けられていてもよい。そのような態様では、当該シュリンクパック硬貨保管容器の内部に、シュリンクパックされた包装硬貨と、バラの包装硬貨と、を併せて収納することができる。
【００１８】
また、収納ドロアの内部には、複数の硬貨金種に対応すべく、複数のシュリンクパック硬貨保管容器が設けられていることが好ましい。この場合、複数のシュリンクパック硬貨保管容器の各々に対して、貨幣の量を測定する測定手段が設けられていることが好ましい。そのような態様では、各金種毎に正確に貨幣の量を測定することができる。
【００１９】
また、前記収納ドロアにおいて、前記シュリンクパック硬貨保管容器は、着脱自在であることが好ましい。そのような態様では、シュリンクパック硬貨保管容器を適宜に交換することによって、当該収納ドロアにおける包装硬貨の収納レイアウトの変更が容易であるため、ニーズに対してきめ細かく対応することができる。
【００２０】
また、本発明は、貨幣を収納する収納ドロアと、前記収納ドロアの内部に設けられ、複数のシュリンクパックされた包装硬貨を並んだ状態で収納するシュリンクパック硬貨保管容器と、を備え、前記シュリンクパック硬貨保管容器は、当該シュリンクパック硬貨保管容器が収納するシュリンクパックされた包装硬貨の少なくとも１つについて、掴み代を提供する形態または機構を有していることを特徴とする貨幣管理装置である。
【００２１】
本発明によれば、複数のシュリンクパックされた包装硬貨が並んだ状態で収納されていても、シュリンクパックされた包装硬貨の少なくとも１つについて掴み代が提供されるため、シュリンクパックされた包装硬貨の取り出しが容易である。
【００２２】
掴み代を提供する形態とは、例えば、シュリンクパックの収納のための並列パターンにオフセットが設けられた形態や、シュリンクパック毎に支持面を長手方向に傾斜させた形態である。
【００２３】
掴み代を提供する機構とは、例えば、シーソーのように軸部材回りに回動してシュリンクパック包装硬貨の長手方向に傾斜する傾斜機構や、一部のシュリンクパック包装硬貨を他のシュリンクパック包装硬貨からポップアップさせるポップアップ機構である。
【図面の簡単な説明】
【００２４】
【図１】本発明の一実施の形態を示すシステム概略図である。
【図２】図１の出納機の外観を示す斜視図である。
【図３】図１及び図２の出納機の機能ブロック図である。
【図４】図１の貨幣管理装置の外観を示す斜視図である。
【図５】図１及び図４の貨幣管理装置の第２紙幣収納ドロアの斜視図である。
【図６】図１及び図４の貨幣管理装置の第２硬貨収納ドロアの斜視図である。
【図７】シュリンクパック包装硬貨保管容器におけるガイド部材のスライド移動について説明するための図である。
【図８】シュリンクパック包装硬貨保管容器におけるガイド部材のスライド移動について説明するための図である。
【図９】図６の硬貨保管容器の側面概略図である。
【図１０】図１及び図４の貨幣管理装置の予備収納庫の斜視図である。
【図１１】図１及び図４の貨幣管理装置の機能ブロック図である。
【図１２】出納機の側での入出操作準備プロセスの一例のフローチャートである。
【図１３】現金管理装置における入出操作準備プロセスの一例のフローチャートである。
【図１４】現金管理装置におけるドロア開閉プロセス（入出操作プロセス）の一例のフローチャートである。
【図１５】現金管理装置における精査プロセスの一例のフローチャートである。
【図１６】第２硬貨収納ドロアの他の例を示す斜視図である。
【図１７】第２硬貨収納ドロアの更に他の例を示す斜視図である。
【図１８】シュリンクパックのための並列パターンのオフセットの例を示す図である。
【図１９】シュリンクパック包装硬貨毎に支持面を傾斜させた例を示す図である。
【図２０】シュリンクパック包装硬貨の取出のための凹部を設けた例を示す図である。
【図２１】シュリンクパック包装硬貨の取出のための凹部を設けた他の例を示す図である。
【図２２】シュリンクパック包装硬貨の取出のための傾斜機構を設けた例を示す平面図である。
【図２３】シュリンクパック包装硬貨の取出のための傾斜機構の動作を説明するための断面図である。
【図２４】シュリンクパック包装硬貨の取出のための他の傾斜機構を設けた例を示す断面図である。
【図２５】シュリンクパック包装硬貨の取出のためのポップアップ機構を設けた例を示す断面図である。
【図２６】シュリンクパック包装硬貨の取出のためのポップアップ機構の動作を説明するための断面図である。
【発明を実施するための最良の形態】
【００２５】
図１は、本発明の一実施の形態を示すシステム概略図である。図１に示す貨幣処理システム３００は、互いに通信可能に構成された出納機１００と貨幣管理装置２００（現金バスとも呼ばれる）とを備えている。出納機１００が、貨幣処理本体機として機能し、貨幣管理装置２００が、貨幣処理端末機として機能するようになっている。出納機１００及び貨幣管理装置２００は、それぞれ、上位の貨幣処理装置及び下位の貨幣処理装置、として理解されてもよい。すなわち、例えば、両者が同一仕様の貨幣処理装置によって構成されていてもよい。また、１台の出納機１００に対して、複数台の貨幣管理装置２００が通信可能に設けられてもよい。
【００２６】
図２は、出納機１００の外観を示す斜視図である。図３は、出納機１００の機能ブロック図である。
【００２７】
図２に示すように、出納機１００は、束紙幣を処理する束紙幣処理部Ｐ１及びバラ紙幣を処理するバラ紙幣処理部Ｐ２からなる紙幣処理装置１１と、バラ硬貨を処理するバラ硬貨処理装置１２と、包装硬貨を処理する包装硬貨処理装置１３と、を備えている。図２中、２１は束紙幣を出金する束紙幣出金口、２２はバラ紙幣を出金するバラ紙幣出金口、２３は包装硬貨を出金する包装硬貨出金口、２４はバラ硬貨を出金するバラ硬貨出金口、である。
【００２８】
また、この出納機１００は、現金以外の有価証券類を投入する現金外ボックス１４、出納機１００全体を制御する制御部１５、制御部１５に各種の指示を与えるキーボード式操作部１６、制御部１５による指示に従って印字処理を行う外部プリンタ１８、を備えている。外部プリンタ１８が、レシート発行装置として機能するようになっている。本実施の形態では、許可者に対して操作情報を提供するために、操作情報に対応する４桁の数字が表示されたレシートが発行されるようになっている。
【００２９】
制御部１５は、その一部として、営業員及び管理者とのインターフェースとしての表示部１５ａと、営業員及び管理者が所持するＩＤカードの内容を読み取るＩＤカードリーダ１５ｂと、を備えている。本実施の形態においてはＩＤカードリーダが用いられているが、これに限られず、公知の顔認証端末や、指に流れる静脈を認証するもの等、使用者本人を認証するものであれば何を用いても構わない。
【００３０】
また、図３に示すように、この制御部１５は、各種プログラム及びデータを格納したＲＯＭ１５ｄ、プログラムのロード領域やプログラム実行時における作業領域となるＲＡＭ１５ｅ、フレキシブルディスクに対してデータを読み書きするフレキシブルディスクドライブ１５ｆ、各種プログラム及びデータを記憶したハードディスクドライブ１５ｇ、ＲＯＭ１５ｄやハードディスクドライブ１５ｇ内に格納されたプログラムを実行等して出納機１００全体を制御する制御本体部１５ｃ、を備えている。
【００３１】
また、図３に示すように、出納機１００は、貨幣管理装置２００との間でデータ通信を行う通信インターフェース（通信ＩＦ）１９を備えている。これにより、出納機１００（貨幣処理本体機）と貨幣管理装置２００（貨幣処理端末機）とは、互いに通信可能となっている。
【００３２】
図４は、貨幣管理装置２００の外観を示す斜視図である。図４に示すように、貨幣管理装置２００は、１万円紙幣を収納保管する第１紙幣収納ドロア２１１と、その他の金種の紙幣を収納保管する第２紙幣収納ドロア２１２と、１００円と１０円と１円の硬貨を収納保管する第１硬貨収納ドロア２１３と、５００円と５０円と５円の硬貨を収納保管する第２硬貨収納ドロア２１４と、現金以外の有価証券類も投入することができる予備収納ドロア２１５と、を有している。
【００３３】
また、この貨幣管理装置２００は、貨幣管理装置２００の全体を制御する制御装置２２５（制御手段）と、制御装置２２５に各種の指示を与えるキーボード式操作部２２６と、使用者（営業員及び管理者）とのインターフェースとしての表示部２２７と、収納庫に貨幣を入出する操作を行う使用者が所持するＩＤカードの内容を読み取るＩＤカードリーダ２２８と、を備えている。
【００３４】
ＩＤカードの内容、すなわち、ＩＤカードに記憶されたＩＤ情報が、使用者情報の一態様であり、ＩＤカードリーダ２２８が、使用者情報取得手段の一態様である。図４の例では、接触式のＩＤカードリーダ２２８が採用されているが、非接触式のカードリーダが採用されてもよい。また、ＩＤカードリーダの他に、出納機１００と同様、顔認証や静脈認証等を利用するための機器が採用されてもよい。
【００３５】
図５は、貨幣管理装置２００の第２紙幣収納ドロア２１２の斜視図である。図５に示すように、第２紙幣収納ドロア２１２には、３種類の金種の紙幣の束が、規則正しく収納保管されるようになっている。図５の例では、第２紙幣収納ドロア２１２の内部に、４つの紙幣保管容器２２１〜２２４が配置されており、各容器毎に、収納保管される紙幣の金種が決められている。
【００３６】
図６は、貨幣管理装置２００の第２硬貨収納ドロア２１４の斜視図である。図６に示すように、第２硬貨収納ドロア２１４には、５００円と５０円と５円との３種類の金種の棒金状態の包装硬貨が、シュリンクパックされた状態のまま、規則正しく収納保管されるようになっている。すなわち、図６の例では、第２硬貨収納ドロア２１４の内部に、３つの金種別のシュリンクパック包装硬貨保管容器２４１〜２４３が配置されている。
【００３７】
シュリンクパック包装硬貨保管容器２４１は、５００円硬貨用の保管容器である。５００円の包装硬貨は、横一列に５本並べられた状態で、シュリンクパックされて流通されている。本実施の形態のシュリンクパック包装硬貨保管容器２４１は、そのようなシュリンクパックされた状態の５００円の包装硬貨を、そのまま収容できるようになっている。具体的には、図６の左側領域において、図６の前後方向に７個が並列に収容可能となっており、図６の中央領域において、図６の左右方向に３個が千鳥状に収容可能となっている。
【００３８】
シュリンクパック包装硬貨保管容器２４２は、５０円硬貨用の保管容器である。５０円の包装硬貨は、横一列に１０本並べられた状態で、シュリンクパックされて流通されている。本実施の形態のシュリンクパック包装硬貨保管容器２４２は、そのようなシュリンクパックされた状態の５０円の包装硬貨を、そのまま収容できるようになっている。具体的には、図６の左側領域から中央領域において、図６の前後方向に８個が並列に収容可能となっている。
【００３９】
シュリンクパック包装硬貨保管容器２４３は、５円硬貨用の保管容器である。５円の包装硬貨も、横一列に１０本並べられた状態で、シュリンクパックされて流通されている。本実施の形態のシュリンクパック包装硬貨保管容器２４３は、そのようなシュリンクパックされた状態の５円の包装硬貨を、そのまま収容できるようになっている。具体的には、図６の左側領域から中央領域において、図６の前後方向に８個が並列に収容可能となっている。
【００４０】
また、本実施の形態の各シュリンクパック包装硬貨保管容器２４１〜２４３には、図６の右側領域において、バラの包装硬貨を収納するバラ包装硬貨保管部も設けられている。これにより、各シュリンクパック硬貨保管容器２４１〜２４３の内部に、シュリンクパックされた包装硬貨と、バラの包装硬貨と、を併せて収納することができるようになっている。
【００４１】
また、本実施の形態の各シュリンクパック包装硬貨保管容器２４１〜２４３は、第２硬貨収納ドロア２１４に対して着脱自在となっている。これにより、各シュリンクパック硬貨保管容器２４１〜２４３を互いに適宜に交換することによって、当該収納ドロア２１４における包装硬貨の収納レイアウトの変更が容易である。これにより、流通量の多い金種を多く収納できるようにしたり、必要でない金種を無くしたり、装置利用者の多様なニーズに対して、きめ細かく対応することができるようになっている。各シュリンクパック硬貨保管容器２４１〜２４３は、後述するような別のデザインを採用したシュリンクパック硬貨保管容器と交換されてもよい。
【００４２】
詳細は図示されていないが、第２硬貨収納ドロア２１４と略同様に、第１硬貨収納ドロア２１３には、１００円と１０円と１円との３種類の金種の棒金状態の包装硬貨が、シュリンクパックされた状態のまま、規則正しく収納保管されるようになっている。すなわち、第１硬貨収納ドロア２１３の内部においても、３つの金種別のシュリンクパック包装硬貨保管容器が配置されている。
【００４３】
１００円と１０円と１円との３種類の金種用のシュリンクパック包装硬貨保管容器は、５０円用と５円用のシュリンクパック包装硬貨保管容器２４２、２４３と略同様の形態を有している。すなわち、左側領域から中央領域において、前後方向に８個が並列に収容可能となっており、右側領域において、バラの包装硬貨を収納するバラ包装硬貨保管部が設けられている。
【００４４】
１００円と１０円と１円との３種類の金種用のシュリンクパック包装硬貨保管容器も、第１硬貨収納ドロア２１３に対して着脱自在となっている。これにより、第１硬貨収納ドロア２１３と第２硬貨収納ドロア２１４とにおいて、６個のシュリンクパック硬貨保管容器を互いに適宜に交換することも可能である。また、硬貨の利用頻度に応じて、例えば５円用のシュリンクパック包装硬貨保管容器２４３等を取り外して、他の利用頻度の高い硬貨用のシュリンクパック包装硬貨保管容器をダブルに（あるいはトリプルに）設置してもよい。
【００４５】
ここで、５００円硬貨用のシュリンクパック包装硬貨保管容器２４１を除いて、他の硬貨用の各シュリンクパック包装硬貨保管容器２４２、２４３については、シュリンクパック包装硬貨の長手方向端面を保持するための断面円弧状の壁面を複数有するガイド部材がスライド移動可能となっていて、複数種類の硬貨に対応できるようになっていることが好ましい。これについて、図７及び図８を用いて説明する。
【００４６】
図７及び図８に示すシュリンクパック包装硬貨保管容器２４３は、シュリンクパック包装硬貨の長手方向端面を保持するための断面円弧状の壁面を複数有するガイド部材２４３ｓがスライド移動可能となっていて、１円、５円、１０円、５０円、１００円の各シュリンクパック包装硬貨のサイズに対応できるようになっている。
【００４７】
具体的には、図７（ａ）は、断面円弧状の壁面を複数有するガイド部材２４３ｓの位置が１円用に調整されたシュリンクパック包装硬貨保管容器２４３の斜視図であり、図７（ｂ）はその底面図である。一方、図８（ａ）は、円弧状ガイド部材２４３ｓの位置が１０円用に調整されたシュリンクパック包装硬貨保管容器２４３の斜視図であり、図８（ｂ）はその底面図である。
【００４８】
図７（ａ）及び図８（ａ）に示すように、断面円弧状の壁面を複数有するガイド部材２４３ｓは、シュリンクパック包装硬貨保管容器２４３の側面に当該シュリンクパック包装硬貨保管容器２４３の長手方向に設けられた溝孔２４３ｇから突出するアーム部２４３ａと一体に形成されている。これにより、当該アーム部２４３ａが溝孔２４３ｇ内を移動することによって、ガイド部材２４３ｓの全体がシュリンクパック包装硬貨保管容器２４３の長手方向に移動するようになっている。
【００４９】
また、図７（ｂ）及び図８（ｂ）に示すように、断面円弧状の壁面を複数有するガイド部材２４３ｓは、その底面に１対の突出脚部２４３ｐを有している。一方、当該１対の突出脚部２４３ｐを、ガイド部材２４３ｓの移動に伴って異なる４箇所に位置決めできるように、シュリンクパック包装硬貨保管容器２４３の底面には４対の突出脚部収容孔２４３ｈが設けられている。図７（ｂ）に示すように、１円用に調整された位置では、突出脚部２４３ｐが最も左側の突出脚部収容孔２４３ｈに嵌合され、図８（ｂ）に示すように、１０円用に調整された位置では、突出脚部２４３ｐが最も右側の突出脚部収容孔２４３ｈに嵌合されている。このように、突出脚部２４３ｐと突出脚部収容孔２４３ｈとの嵌合を利用することで、ガイド部材２４３ｓを所望の位置に固定（ロック）させておくことができる。
【００５０】
図７及び図８に示すシュリンクパック包装硬貨保管容器２４３では、突出脚部２４３ｐが左から２つ目の突出脚部収容孔２４３ｈに嵌合された状態において５０円硬貨に対応することができ、突出脚部２４３ｐが左から３つ目の突出脚部収容孔２４３ｈに嵌合された状態において５円硬貨及び１００円硬貨に対応することができる。
【００５１】
もっとも、突出脚部収容孔２４３ｈを８個設けず、例えば図７（ｂ）及び図８（ｂ）の左側の４個だけの突出脚部収容孔２４３ｈを設けておいて、１円硬貨用と５０円硬貨用とのみを選択的に調整可能としたシュリンクパック包装硬貨保管容器を採用することもできる。同様に、図７（ｂ）及び図８（ｂ）の右側の４個だけの突出脚部収容孔２４３ｈを設けておいて、５円硬貨及び１００円硬貨用と１０円硬貨用とのみを選択的に調整可能としたシュリンクパック包装硬貨保管容器を採用することもできる。
【００５２】
なお、ガイド部材２４３ｓと一体の突出脚部２４３ｐを突出脚部収容孔２４３ｈに対して入出させるために、ガイド部材２４３ｓと一体のアーム部２４３ａは溝孔２４３ｇ内で上下方向にも移動できるようになっている。すなわち、溝孔２４３ｇの上下方向のサイズは、アーム部２４３ａの上下方向のサイズよりも大きくなっている。
【００５３】
複数の硬貨種類に対応するガイド部材２４３ｓの断面円弧状の形状は、対応する硬貨種類のうちの最大径に合わせて設計される。もっとも、１０円硬貨（最大径の硬貨）に合わせた設計では、１円硬貨（最小径の硬貨）を十分に固定することが困難である場合がある。そのような場合には、例えば、１０円硬貨／５円硬貨／１００円硬貨に対応するガイド部材と、５０円硬貨／１円硬貨に対応するガイド部材とを、分けて設計した方がよい。更には、単一の硬貨種類のみに対応するようにガイド部材２４３ｓが設計されて、各硬貨種類毎にシュリンクパック包装硬貨保管容器を用意しておく態様も、当然に採用され得る。この場合には、ガイド部材２４３ｓがシュリンクパック包装硬貨保管容器に対して摺動移動する必要がない。
【００５４】
次に、図９は、図６の硬貨保管容器２４１の側面概略図である。図９に示すように、硬貨保管容器２４１の底面には、硬貨保管容器２４１内に収納保管される硬貨の重量を測定するための測定手段として、ロードセル２６１が設けられている。ロードセルの構成の詳細については十分に知られていると思われるので、ここでの説明は省略する。他の硬貨保管容器２４２、２４３、並びに、紙幣保管容器２２１〜２２４についても、同様にロードセルが設けられている。このような構成によって、各金種毎に、収納保管されている貨幣の重量が測定されるようになっている。
【００５５】
なお、シュリンクパックのフィルムの重量は極めて小さいので、シュリンクパックされた状態のままでロードセルによって硬貨の重量が測定されても、測定誤差を生じさせることは無い。
【００５６】
その他、図１０は、予備収納庫（予備ドロア）２１５の斜視図である。図１０に示すように、予備収納庫２１５には、硬貨予備収納部２５１及び紙幣予備収納部２５２の他に、現金以外の有価証券類を投入することができる空スペース２５３が設けられている。
【００５７】
続いて、図１１は、貨幣管理装置２００の制御装置２２５の機能ブロック図である。制御装置２２５は、各種プログラム及びデータを格納したＲＯＭ２２５ｄ、プログラムのロード領域やプログラム実行時における作業領域となるＲＡＭ２２５ｅ、各種プログラム及びデータを記憶したハードディスクドライブ２２５ｇ、ＲＯＭ２２５ｄやハードディスクドライブ２２５ｇ内に格納されたプログラムを実行等して貨幣管理装置２００全体を制御する演算制御部２２５ｃ、を備えている。
【００５８】
演算制御部２２５ｃ（演算手段）は、各金種毎に対応して設けられたロードセル（重量測定手段）に接続されており、ロードセルの出力値に基づいて、収納保管された貨幣の重量に対応する貨幣の金額を算出できるようになっている。そして、ハードディスクドライブ２２５ｇが、演算制御部２２５ｃ（記憶手段）によって算出された貨幣の金額を記憶するようになっている。
【００５９】
本実施の形態では、ここで、ＩＤカードリーダ２２８が読み取るＩＤ情報（使用者情報）も、算出された貨幣の金額（入出操作後の収納保管金額）と対応させた態様で、ハードディスクドライブ２２５ｇに記憶されるようになっている。
【００６０】
本実施の形態では、更に、キーボード式操作部２２６（入力手段）において、収納庫に対して入出される貨幣の金額が入力されるようになっており、演算制御部２２５ｃが、精査手段として、ロードセルの出力値から算出された金額と、キーボード式操作部２２６で入力された金額と、を精査できるようになっている。
【００６１】
また、図１１に示すように、貨幣管理装置２００は、出納機１００との間でデータ通信を行う通信インターフェース（通信ＩＦ）２２９を備えている。これにより、貨幣管理装置２００（貨幣処理端末機）と出納機１００（貨幣処理本体機）とは、互いに通信可能となっている。
【００６２】
また、本実施の形態の制御装置２２５は、ロック制御手段として、各ドロア２１１〜２１５に設けられた開閉電磁ロック２１１ｍ〜２１５ｍに接続されていて、各ドロア２１１〜２１５を、貨幣の入出が可能な開状態と貨幣の入出が不可能なロック状態との間で切替えることができるようになっている。
【００６３】
この切替制御の条件として、本実施の形態では、使用者照合が採用されている。具体的には、例えば、予め許可者として設定された使用者のＩＤ情報（使用者情報）が、ハードディスクドライブ２２５ｇに記憶されていて、ＩＤカードリーダ２２８（使用者情報取得手段）が読み取ったＩＤ情報が、使用者識別手段としての演算制御部２２５ｃによって、許可者のＩＤ情報に対して照合されるようになっている。照合の結果がＹＥＳである、すなわち、ＩＤカードリーダ２２８が読み取ったＩＤ情報が、予め許可者として設定された使用者のＩＤ情報に合致する場合にのみ、制御装置２２５は、開閉電磁ロック２１１ｍ〜２１５ｍを制御して、貨幣の入出が可能な開状態とすることができる。
【００６４】
別の切替制御の条件として、本実施の形態では、使用者照合に加えて、操作情報の照合も採用され得る。操作情報とは、例えば入出金操作毎に設定される操作情報であり、通常は入出金の金種及び金額のデータであるが、入出操作の手順に関するデータを含むこともあり得る。操作情報の照合の具体的態様としては、例えば、予め許可操作として設定された操作の操作情報が、出納機１００から通信機能を利用して例えばＲＡＭ２２５ｅに転送記憶され、一方、使用者によって、操作情報に対応する４桁の操作番号が、キーボード式操作部２２６（操作情報取得手段）で入力され得る。そして、入力された４桁の操作番号の情報が、操作識別手段としての演算制御部２２５ｃによって、転送記憶された操作情報に対して照合され得る。この場合、照合の結果がＹＥＳである、すなわち、入力された４桁の操作番号が、転送記憶された許可操作の操作情報に合致する場合にのみ、制御装置２２５は、開閉電磁ロック２１１ｍ〜２１５ｍを制御して、貨幣の入出が可能な開状態とすることができる。この態様においては、好適なことに、入出操作の具体的内容に即して、開閉電磁ロック２１１ｍ〜２１５ｍを個別に制御することが可能である。具体的には、入出対象である金種を収納するドロアのみを、開状態に切り替えることができる。更には、複数のドロアが同時には開状態にならないように、各ドロアを順に開状態に切り換えるという制御態様を採用することも可能である。
【００６５】
その他、本実施の形態では、貨幣管理装置２００（貨幣処理端末機）と出納機１００（貨幣処理本体機）とが互いに通信可能であることを利用して、更に以下のような構成が採用されている。
【００６６】
出納機１００（貨幣処理本体機）の制御部１５は、通信機能を利用して貨幣管理装置２００（貨幣処理端末機）の在高データを確認及び／または精査するための在高データ遠隔確認部として機能できるように構成されている。具体的には、出納機１００（貨幣処理本体機）の制御部１５が、通信インターフェース（通信ＩＦ）１９及び通信インターフェース（通信ＩＦ）２２９を介して、精査手段である演算制御部２２５ｃを制御できるようになっている。
【００６７】
また、出納機１００（貨幣処理本体機）の制御部１５は、通信インターフェース（通信ＩＦ）１９及び通信インターフェース（通信ＩＦ）２２９を介して、開閉電磁ロック２１１ｍ〜２１５ｍをも制御できるようになっている。
【００６８】
具体的には、通信インターフェース（通信ＩＦ）２２９が、開閉電磁ロック２１１ｍ〜２１５ｍ（ロック装置）を制御して開状態とするためのロック解除信号を受信するロック解除信号受信部として機能するようになっており、これに対応して、出納機１００（貨幣処理本体機）の制御部１５が、所定の条件下で、ロック解除信号を通信インターフェース（通信ＩＦ）１９を介して通信インターフェース（通信ＩＦ）２２９に対して送信するように構成されている。
【００６９】
このように、開閉電磁ロック２１１ｍ〜２１５ｍの制御が出納機１００の側で行われる場合には、出納機１００の側で制御の具体的条件を設定ないし調整することができるため、各ドロアの開閉操作の管理、ひいては貨幣の入出操作の管理を、より集中的に行うことが可能となる。
【００７０】
この場合、開閉電磁ロック２１１ｍ〜２１５ｍは、それが開状態とされてから各ドロアの開閉操作が行われた後、自動的にロック状態となるように構成されることが好ましい。あるいは、開閉電磁ロック２１１ｍ〜２１５ｍは、それが開状態とされてから所定時間が経過した後、自動的にロック状態となるように構成されることが好ましい。
【００７１】
更に好ましくは、通信インターフェース（通信ＩＦ）２２９が、開閉電磁ロック２１１ｍ〜２１５ｍ（ロック装置）を制御してロック状態とするためのロック信号を受信するロック信号受信部として機能するようになっており、これに対応して、出納機１００（貨幣処理本体機）の制御部１５が、所定の条件下で、ロック信号を通信インターフェース（通信ＩＦ）１９を介して通信インターフェース（通信ＩＦ）２２９に対して送信するように構成され得る。
【００７２】
この場合、貨幣管理装置２００は、各ドロア２１１〜２１５の開状態から閉状態への変化を検知する閉動作検知装置２１１ｃ〜２１５ｃを更に備えて、当該閉動作検知装置による検知信号が出納機１００に送信され、出納機１００が当該検知信号を受信した際に前記ロック信号を送信するようになっていることが好ましい。この場合、各ドロアのロック制御の管理を、出納機１００側でより集中的に行うことが可能となる。
【００７３】
あるいは、開閉電磁ロック２１１ｍ〜２１５ｍは、開状態とされてから所定時間が経過しても依然として開状態である場合に、自動的にロック状態となるように構成されていることが好ましい。また、貨幣管理装置２００は、各ドロア２１１〜２１５の閉状態から開状態への変化を検知する開動作検知装置２１１ｏ〜２１５ｏを更に備えることが好ましい。
【００７４】
その他、各ドロア２１１〜２１５の開状態が所定時間以上継続している際に報知信号を出力する報知装置（アラーム装置）２８０が更に設けられている。
【００７５】
また、図１１における鍵検知部２９０とは、貨幣管理装置２００の電源ｏｆｆ時にドロアの開閉が行われる際に、そのことを検知するセンサ装置である。これは、少なくとも当該技術分野においては新しい技術であるが、本発明の概念とは直接には関連しないので、ここでの説明は省略する。
【００７６】
次に、以上に説明した貨幣処理システムの動作例について、フローチャートを参照しながら説明する。
【００７７】
図１２は、出納機１００の側での入出操作準備プロセスの一例のフローチャートである。まず、ＩＤカードリーダ１５ｂによって、出納機１００の操作者のＩＤ情報が読み取られる（ＳＴＥＰ１１）。当該ＩＤ情報に基づいて、その操作者が、出納機１００の操作許可者であるか否かが識別される（ＳＴＥＰ１２）。
【００７８】
操作許可者であれば、出納機１００の操作メニューが表示部１５ａに表示される（ＳＴＥＰ１３）。その表示を見ながら、操作者（操作許可者）は、キーボード式操作部１６を用いて操作内容を入力する（ＳＴＥＰ１４）。ここで、本例では、セキュリティの一層の向上のために、暗証番号入力を求める（ＳＴＥＰ１５）。
【００７９】
暗証番号の照合の後、操作者（操作許可者）は、キーボード式操作部１６を用いて、入出操作の詳細を入力する（ＳＴＥＰ１６）。具体的には、入出対象の金種や金額（束数あるいは本数でもよい）のデータが入力される。その後、操作者による入力完了キーの操作によって、入力完了が検知される（ＳＴＥＰ１７）。出納機１００は、入力された入出操作の詳細に対して、操作情報としての操作番号（連動番号と呼ぶこともある）を特定（発行）し、当該操作番号と実際の入出操作の詳細な内容との対応付けをハードディスク１５ｇに記憶する（ＳＴＥＰ１８）。また、レシート発行装置１８から、当該操作番号が表示されたレシートを発行する（ＳＴＥＰ１９）。
【００８０】
図１３は、現金管理装置２００における入出操作準備プロセスの一例のフローチャートである。まず、ＩＤカードリーダ２２８によって、現金管理装置２００の操作者のＩＤ情報が読み取られる（ＳＴＥＰ２１）。当該ＩＤ情報に基づいて、その操作者が、現金管理装置２００の操作許可者であるか否かが識別される（ＳＴＥＰ２２）。
【００８１】
操作許可者であれば、現金管理装置２００の操作メニューが表示部２２７に表示される（ＳＴＥＰ２３）。その表示を見ながら、操作者（操作許可者）は、キーボード式操作部２２６を用いて操作内容を入力する（ＳＴＥＰ２４）。
【００８２】
まず、出納機１００との連動処理が選択される場合について先に説明する。
【００８３】
連動処理が選択されると、本例では、セキュリティの一層の向上のために、暗証番号入力を求める（ＳＴＥＰ２５）。
【００８４】
暗証番号の照合の後、操作者（操作許可者）は、キーボード式操作部２２６を用いて、出納機１００にて発行された操作番号（連動番号）を入力する（ＳＴＥＰ２６）。これにより、現金管理装置２００は、通信機能を利用して、出納機１００のハードディスク１５ｇに記憶された対応付け情報に基づいて、当該操作番号に対応する入出操作の詳細情報（処理キューと呼ばれる：入出操作対象である金種ないし金額のデータの他、ドロアの開閉手順のデータが含まれ得る）をピックアップし（ＳＴＥＰ２７）、その一部の情報（全部でもよい）を操作者の確認のために表示する（ＳＴＥＰ２８）。確認の後、操作者による入力完了キーの操作によって、入出準備完了が検知される（ＳＴＥＰ２９）。
【００８５】
次に、出納機１００との非連動処理が選択される場合について説明する。この場合のプロセスは、従来の現金管理装置のプロセスと略同様である。
【００８６】
非連動処理が選択されると、本例では、セキュリティの一層の向上のために、暗証番号入力を求める（ＳＴＥＰ１２５）。
【００８７】
暗証番号の照合の後、操作者（操作許可者）は、キーボード式操作部２２６を用いて、入出操作の詳細を入力する（ＳＴＥＰ１２６）。具体的には、入出対象の金種や金額（束数あるいは本数でもよい）のデータが入力される。その後、操作者による入力完了キーの操作によって、入力完了が検知される（ＳＴＥＰ１２７）。
【００８８】
続いて、図１４は、現金管理装置２００におけるドロア開閉プロセスの一例のフローチャートである。ここでは、入出操作の詳細情報（処理キュー）に基づいて、開状態にされるドロアの順序が決定されているものとする。
【００８９】
まず、最初に開状態になるドロアに対応する電磁開閉ロックのロックが解除される（ＳＴＥＰ３１）。ロック解除制御は、現金管理装置２００内の制御部２２５によって行われてもよいし、通信機能を介して出納機１００の制御部１５によって行われてもよい。
【００９０】
ロックが解除されたドロアは、操作者によって開放され、貨幣の入出操作が行われる。ここで、本実施の形態によれば、第１硬貨収納ドロア２１３及び第２硬貨収納ドロア２１４において、各硬貨の金種毎にシュリンクパック包装硬貨保管容器が設けられているため、シュリンクパックされた状態の包装硬貨を、フィルムを剥がしてバラの包装硬貨とすることなく、そのまま対応する保管容器内に収納することができる。これにより、シュリンクパックのフィルムを剥がす等の作業から解放される他、各シュリンクパック包装硬貨保管容器内に収容されたそれらの包装硬貨を再び出金する際にも非常に便利である。
【００９１】
また、本実施の形態の各シュリンクパック包装硬貨保管容器には、バラの包装硬貨を収納するバラ包装硬貨保管部も設けられているため、シュリンクパックされた包装硬貨と、バラの包装硬貨と、を併せて入出金することができる。
【００９２】
なお、本実施の形態では、ロックが解除されてから所定時間が経過してもドロアが開放されない場合には、報知装置２８０がアラームをならすようになっている（ＳＴＥＰ３２）。また、ドロアが開けられてから所定時間が経過しても閉じられない場合にも、報知装置２８０がアラームをならすようになっている（ＳＴＥＰ３３）。
【００９３】
貨幣の入出操作が順調に終了して、操作者がドロアを閉じると、当該ドロアに対応する電磁開閉ロックがロック状態にされる（ＳＴＥＰ３４）。このロック制御も、現金管理装置２００内の制御部２２５によって行われてもよいし、通信機能を介して出納機１００の制御部１５によって行われてもよい。
【００９４】
そして、他のドロア（金種）に対する入出処理が残って入れば、次に開状態になるドロアに対して処理が繰り返され、他のドロア（金種）に対する入出処理が無ければ、入出処理は終了して精査プロセスに行く。
【００９５】
図１５は、現金管理装置２００における精査プロセスの一例のフローチャートである。
【００９６】
この精査プロセスは、出納機１００との連動処理においては操作番号の入力を介して得られた入出操作の詳細情報に基づいて、非連動処理においてはキーボード式操作部２２６での入力を介して得られた入出操作の詳細情報に基づいて、実際に入出された貨幣の金額がそれら情報に合致しているか否かを判別するプロセスである。実際に入出された貨幣の金額については、ロードセルを用いた貨幣重量の測定結果から算出される（ＳＴＥＰ４１）。
【００９７】
ここで、シュリンクパックのフィルムの重量は極めて小さいので、シュリンクパックされた状態のままでロードセルによって硬貨の重量が測定されても、測定誤差が生じることは無い。
【００９８】
精査の結果、金額が合致する場合には、その取引内容（操作内容と操作者との双方の情報を含む）がハードディスク２２５ｇに記憶される（ＳＴＥＰ４２）。必要な場合には、不図示のプリンタから、処理結果が印字されてもよい（ＳＴＥＰ４３）。
【００９９】
精査の結果、金額が合致しない場合には、合致しない金種（の全て）に対して、図１４に示したドロア開閉プロセスが再実行される（ＳＴＥＰ４４）。
【０１００】
以上に説明したように、本実施の形態によれば、現金管理装置２００を使用可能（入出操作可能）状態にするための条件として、使用者のＩＤ情報の照合のみならず、操作情報の照合をも採用していることにより、使用者の誤操作を効果的に防止することができる一方、操作記録を管理することも極めて容易である。
【０１０１】
特に、操作情報として、入出金操作毎に設定（発行）される４桁（３桁以上が好ましい）の操作番号（連動番号）を採用しているため、取り扱いが容易である一方で、当該操作番号から操作内容が知られる畏れもない。
【０１０２】
また、操作番号に対応する入出金データが出納機１００から現金管理装置２００に転送されることにより、入出金データ自体を使用者が手入力等する必要がなく、従って、使用者による誤操作が効果的に防止される。
【０１０３】
また、本実施の形態によれば、貨幣の入出操作の度に精査プロセスを実施することによって、入出操作に誤りがないか入出操作毎に精査することができる。これにより、使用者の誤操作を効果的に防止することができる一方、操作記録（入出記録）を入出操作毎に管理することも極めて容易である。更に、本実施の形態によれば、入出操作に対応付けて使用者情報をも容易に管理することができる。
【０１０４】
また、本実施の形態によれば、貨幣の入出操作において、シュリンクパックされた状態の包装硬貨を、そのまま入出金することができる。これにより、シュリンクパックのフィルムを剥がす等の作業から解放されることに加えて、シュリンクパックされた状態の包装硬貨を再び出金する際の便宜に優れる。
【０１０５】
また、本実施の形態によれば、出納機１００の側でロック解除信号及び／またはロック信号の送信条件を設定ないし調整することができる。この場合、貨幣の入出操作の管理を集約的に行うことが可能である。これは特に、複数台の現金管理装置２００を含むシステムにおいて有効である。
【０１０６】
なお、前述の説明では、使用者のＩＤ情報の照合と操作情報の照合とが現金管理装置２００の側で行われているが、データが実際に照合される場所は特に限定されない。すなわち、これらの照合は、現金管理装置２００の側で行われてもよいし、出納機１００の側で行われてもよいし、それらに接続された他のハードウェアを利用して行われてもよい。また、照合のための各データの転送のタイミングについても、公知の種々の態様から適宜に選択されて採用される。
【０１０７】
その他、精査プロセスのために用いられる収納貨幣量の測定手段としては、ロードセルのような重量センサの他、収納保管された貨幣の空間占有状態を測定するセンサが用いられてもよい。収納保管された貨幣は、その量に応じて、保管容器の内部における占有体積が当然に異なるため、貨幣の空間占有状態（例えば保管容器のどの部位まで貨幣によって占有されているか、あるいは、保管されている束紙幣の束数ないし包装硬貨の本数（どれだけ入っているか））を検出することによって、保管容器内に収納されている収納貨幣の量を得ることができる。そのようなセンサとしては、例えばＬＥＤからなるラインセンサが用いられる。
【０１０８】
次に、図１６を用いて、第２硬貨収納ドロアの他の例について説明する。図１６は、第２硬貨収納ドロアの他の例を示す斜視図である。
【０１０９】
図１６に示す例でも、第２硬貨収納ドロア２１４には、５００円と５０円と５円との３種類の金種の棒金状態の包装硬貨が、シュリンクパックされた状態のまま、規則正しく収納保管されるようになっている。すなわち、図１６の例でも、第２硬貨収納ドロア２１４の内部に、３つの金種別のシュリンクパック包装硬貨保管容器が配置されている。但し、図１６の各シュリンクパック包装硬貨保管容器３４１〜３４３の硬貨保管用の空間設計が、図６の各シュリンクパック包装硬貨保管容器２４１〜２４３のそれと異なっている。
【０１１０】
図１６において、シュリンクパック包装硬貨保管容器３４１は、５００円硬貨用の保管容器である。５００円の包装硬貨は、横一列に５本並べられた状態で、シュリンクパックされて流通されている。図１６のシュリンクパック包装硬貨保管容器３４１は、そのようなシュリンクパックされた状態の５００円の包装硬貨を、そのまま収容できるようになっている。具体的には、図１６の左側領域において、寝かせた状態で三段に図１６の前後方向に２個が並列に収容可能となっており（３×２＝６）、図１６の中央領域において、４個が立った状態で収容可能となっている。
【０１１１】
シュリンクパック包装硬貨保管容器３４２は、５０円硬貨用の保管容器である。５０円の包装硬貨は、横一列に１０本並べられた状態で、シュリンクパックされて流通されている。図１６のシュリンクパック包装硬貨保管容器３４２は、そのようなシュリンクパックされた状態の５０円の包装硬貨を、そのまま収容できるようになっている。具体的には、図１６の左側領域から中央領域において、寝かせた状態で四段に図１６の前後方向に２個が並列に収容可能となっている（４×２＝８）。
【０１１２】
シュリンクパック包装硬貨保管容器３４３は、５円硬貨用の保管容器である。５円の包装硬貨も、横一列に１０本並べられた状態で、シュリンクパックされて流通されている。図１６のシュリンクパック包装硬貨保管容器３４３は、そのようなシュリンクパックされた状態の５円の包装硬貨を、そのまま収容できるようになっている。具体的には、図１６の左側領域から中央領域において、寝かせた状態で四段に図１６の前後方向に２個が並列に収容可能となっている（４×２＝８）。
【０１１３】
また、図１６の各シュリンクパック包装硬貨保管容器３４１〜３４３には、図１６の右側領域において、バラの包装硬貨を収納するバラ包装硬貨保管部も設けられている。これにより、各シュリンクパック硬貨保管容器３４１〜３４３の内部に、シュリンクパックされた包装硬貨と、バラの包装硬貨と、を併せて収納することができるようになっている。
【０１１４】
また、図１６の各シュリンクパック包装硬貨保管容器３４１〜３４３も、第２硬貨収納ドロア２１４に対して着脱自在となっている。これにより、各シュリンクパック硬貨保管容器３４１〜３４３を互いに適宜に交換することによって、当該収納ドロア２１４における包装硬貨の収納レイアウトの変更が容易である。これにより、装置利用者の多様なニーズに対して、きめ細かく対応することができるようになっている。更に、各シュリンクパック硬貨保管容器３４１〜３４３は、図６の各シュリンクパック硬貨保管容器２４１〜２４３や、後述する別のデザインを採用したシュリンクパック硬貨保管容器と交換されてもよい。
【０１１５】
第１硬貨収納ドロア２１３における、１００円と１０円と１円との３種類の金種用のシュリンクパック包装硬貨保管容器についても、図１６の５０円用と５円用のシュリンクパック包装硬貨保管容器３４２、３４３と略同様の形態を採用することができる。すなわち、左側領域から中央領域において、寝かせた状態で四段に図１６の前後方向に２個が並列に収容可能となっていて（４×２＝８）、右側領域において、バラの包装硬貨を収納するバラ包装硬貨保管部が設けられていてよい。この場合に、第１硬貨収納ドロア２１３と第２硬貨収納ドロア２１４とにおいて、６個のシュリンクパック硬貨保管容器を互いに適宜に交換することも可能である。また、硬貨の利用頻度に応じて、例えば５円用のシュリンクパック包装硬貨保管容器３４２等を取り外して、他の利用頻度の高い硬貨用のシュリンクパック包装硬貨保管容器をダブルに（あるいはトリプルに）設置してもよい。
【０１１６】
次に、図１７を用いて、第２硬貨収納ドロアの更に他の例について説明する。図１７は、第２硬貨収納ドロアの更に他の例を示す斜視図である。
【０１１７】
図１７に示す例でも、第２硬貨収納ドロア２１４には、５００円と５０円と５円との３種類の金種の棒金状態の包装硬貨が、シュリンクパックされた状態のまま、規則正しく収納保管されるようになっている。すなわち、図１７の例でも、第２硬貨収納ドロア２１４の内部に、３つの金種別のシュリンクパック包装硬貨保管容器が配置されている。図１７において、５００円硬貨用のシュリンクパック包装硬貨保管容器２４１は、図６のシュリンクパック包装硬貨保管容器２４１と同様の構成を有している。一方、図１７のシュリンクパック包装硬貨保管容器４４２、４４３の硬貨保管用の空間設計は、図６のシュリンクパック包装硬貨保管容器２４２、２４３のそれと異なっている。
【０１１８】
図１７において、シュリンクパック包装硬貨保管容器４４２は、５０円硬貨用の保管容器である。図１７のシュリンクパック包装硬貨保管容器４４２は、シュリンクパックされた状態の５０円の包装硬貨を、そのまま収容できるようになっている。具体的には、図１７の左側領域から中央領域において、図１７の前後方向に８個が略並列に収容可能となっている。
【０１１９】
ここで、図６のシュリンクパック包装硬貨保管容器２４２と異なり、図１７のシュリンクパック包装硬貨保管容器４４２においては、図１８に示すように、８個のシュリンクパックのための並列パターンが、奇数列と偶数列との間で、左右方向にオフセットが設けられていると共に、上下方向にもオフセットが設けられている。これらのオフセットにより、シュリンクパックされた状態の包装硬貨の取り出しが、極めて容易となっている。左右方向のオフセットは、１２ｍｍ程度、上下方向のオフセットは、２０ｍｍ程度であることが好ましい。
【０１２０】
同様に、図１７において、シュリンクパック包装硬貨保管容器４４３は、５円硬貨用の保管容器である。図１７のシュリンクパック包装硬貨保管容器４４３は、シュリンクパックされた状態の５円の包装硬貨を、そのまま収容できるようになっている。具体的には、図１７の左側領域から中央領域において、図１７の前後方向に８個が略並列に収容可能となっている。
【０１２１】
ここで、図６のシュリンクパック包装硬貨保管容器２４３と異なり、図１７のシュリンクパック包装硬貨保管容器４４３においても、図１８に示すように、８個のシュリンクパックのための並列パターンが、奇数列と偶数列との間で、左右方向にオフセットが設けられていると共に、上下方向にもオフセットが設けられている。これらのオフセットにより、シュリンクパックされた状態の包装硬貨の取り出しが、極めて容易となっている。左右方向のオフセットは、１２ｍｍ程度、上下方向のオフセットは、２０ｍｍ程度であることが好ましい。
【０１２２】
また、図１７のシュリンクパック包装硬貨保管容器４４２、４４３においても、図１７の右側領域において、バラの包装硬貨を収納するバラ包装硬貨保管部が設けられている。これにより、各シュリンクパック硬貨保管容器２４１、４４２、４４３の内部に、シュリンクパックされた包装硬貨と、バラの包装硬貨と、を併せて収納することができるようになっている。
【０１２３】
また、図１７のシュリンクパック包装硬貨保管容器４４２、４４３も、第２硬貨収納ドロア２１４に対して着脱自在となっている。これにより、各シュリンクパック硬貨保管容器２４１、４４２、４４３を互いに適宜に交換することによって、当該収納ドロア２１４における包装硬貨の収納レイアウトの変更が容易である。これにより、装置利用者の多様なニーズに対して、きめ細かく対応することができるようになっている。更に、各シュリンクパック硬貨保管容器２４１、４４２、４４３は、図６ないし図１６の各シュリンクパック硬貨保管容器や、更に他のデザインを採用したシュリンクパック硬貨保管容器と交換されてもよい。
【０１２４】
第１硬貨収納ドロア２１３における、１００円と１０円と１円との３種類の金種用のシュリンクパック包装硬貨保管容器についても、図１６の５０円用と５円用のシュリンクパック包装硬貨保管容器４４２、４４３と略同様の形態を採用することができる。すなわち、左側領域から中央領域において、前後方向に８個が略並列に収容可能となっていて、右側領域において、バラの包装硬貨を収納するバラ包装硬貨保管部が設けられていてよい。この場合に、第１硬貨収納ドロア２１３と第２硬貨収納ドロア２１４とにおいて、６個のシュリンクパック硬貨保管容器を互いに適宜に交換することも可能である。また、硬貨の利用頻度に応じて、例えば５円用のシュリンクパック包装硬貨保管容器３４２等を取り外して、他の利用頻度の高い硬貨用のシュリンクパック包装硬貨保管容器をダブルに（あるいはトリプルに）設置してもよい。
【０１２５】
なお、以上の実施の形態において、貨幣管理装置２００は、１万円紙幣を収納保管する第１紙幣収納ドロア２１１と、その他の金種の紙幣を収納保管する第２紙幣収納ドロア２１２と、３種類の硬貨（例えば１００円と１０円と１円の硬貨）を収納保管する第１硬貨収納ドロア２１３と、その他の３種類の硬貨（例えば５００円と５０円と５円の硬貨）を収納保管する第２硬貨収納ドロア２１４と、現金以外の有価証券類も投入することができる予備収納ドロア２１５と、を有していたが、本発明はこの態様に限定されることは無い。ユーザのニーズに合わせて、例えば、紙幣収納ドロアを１段だけにして、硬貨収納ドロアを３段とすることも可能である。更には、紙幣収納ドロアを無くして、硬貨収納ドロアを４段とすることも可能である。
【０１２６】
なお、図１８に示す形態では、前述の通り、８個のシュリンクパックのための並列パターンが、奇数列と偶数列との間で、左右方向にオフセットが設けられていると共に、上下方向にもオフセットが設けられていた。この上下方向のオフセットの代わりに、図１９に示すように、奇数列と偶数列との間で互い違いに、シュリンクパック毎に支持面を長手方向で傾斜させた形態でも、シュリンクパック包装硬貨の取り出しが極めて容易となる。
【０１２７】
あるいは、図２０に示すように、シュリンクパック包装硬貨保管容器の、シュリンクパック包装硬貨の長手方向端面を保持するための断面円弧状の壁面を複数有するガイド部材２４３ｓに、シュリンクパック包装硬貨を長手方向にずらすことを許容するための凹部２４３ｒを形成しておくことでも、シュリンクパック包装硬貨の取り出しが極めて容易となる。長手方向にずらされたシュリンクパック包装硬貨は、残りのシュリンクパック包装硬貨に対して、把持して取り出すことが容易となるからである。シュリンクパック包装硬貨を１本取出せば、残りのシュリンクパック包装硬貨は、容易に取出せる。
【０１２８】
図２０に示す形態例の場合、中央領域の２つのシュリンクパック包装硬貨のために、ガイド部材２４３ｓの中央領域に２つの凹部２４３ｒが形成されている。
【０１２９】
２つの凹部２４３ｒは一つに纏められていてもよく、そのような形態を図２１に示す。図２１に示す形態例の場合、中央領域の２つのシュリンクパック包装硬貨のために、ガイド部材２４３ｓの中央領域に１つの凹部２４３ｒが形成されている。
【０１３０】
図２０及び図２１に示すように、ガイド部材２４３ｓに凹部２４３ｒを設けると、凹部２４３ｒの反対側に凸部が現れる。ガイド部材２４３ｓは、各金種に対応するような形状を有し、図７及び図８のように、金種に応じてスライドしてその位置が変わるが、ガイド部材２４３Ｓをバラの包装硬貨を収納するバラ包装硬貨収納部２４３ｂ側へ移動する際のために、凸部の逃がしを形成しておく必要がある。この逃がしを、シュリンクパック包装硬貨保管容器の強度を維持する上で好ましい位置である、２つのバラ包装硬貨収納部２４３ｂの間の肉厚部分に設けるために、この肉厚部分に対応するガイド部材２４３Ｓの中央領域に凹部２４３ｒが設けられている。図２１で、逃がしは、カバー２４３ｃで覆われている。
【０１３１】
もっとも、凹部２４３ｒの数は、３つ以上でも構わないし、凹部２４３ｒの位置についても、必ずしも中央領域である必要はない。
【０１３２】
あるいは、図２２及び図２３に示すように、シュリンクパック包装硬貨の取出のための傾斜機構を設けることでも、シュリンクパック包装硬貨Ｓの取り出しが極めて容易となる。傾斜されたシュリンクパック包装硬貨Ｓは、ハウジング部２９３ｈに対して一部が上方に突出するため、把持することが容易となるからである。
【０１３３】
図２２及び図２３に示す形態例では、シュリンクパック包装硬貨保管容器が、ハウジング部２９３ｈと、当該ハウジング部２９３ｈ内でシーソーのように軸部材２９３ｓ回りに回動してシュリンクパック包装硬貨Ｓの長手方向に傾斜するシュリンクパック包装硬貨ケース２９３ｃと、を有している。軸部材２９３ｓは、ハウジング部２９３ｈに支持されている。
【０１３４】
通常時には、シュリンクパック包装硬貨Ｓの重量によって、シュリンクパック包装硬貨ケース２９３ｃは水平姿勢を維持している。そして、シュリンクパック包装硬貨Ｓを取り出す場合、操作者が図２３の矢印に示す方向に取り出したい包装硬貨Ｓを収納しているシュリンクパック包装硬貨ケース２９３ｃまたはシュリンクパック包装硬貨Ｓに押圧力を加えることによって、シュリンクパック包装硬貨ケース２９３ｃ及びシュリンクパック包装硬貨Ｓが回動して、シュリンクパック包装硬貨Ｓの長手方向に傾斜し、容易に掴んで取り出すことができる。
【０１３５】
全てのシュリンクパック包装硬貨を同時に傾斜させる傾斜機構に限られず、一部のシュリンクパック包装硬貨だけを傾斜させる傾斜機構が採用されてもよい。このような形態の例を図２４に示す。図２４の形態例では、中央領域の１つのシュリンクパック包装硬貨Ｓの底面を支持する支持板部２９３ｂのみが、他のシュリンクパック包装硬貨を支持するハウジング部２９３ｈに対してシーソーのように軸部材２９３ｓ回りに回動して、当該支持板部２９３ｂが支持するシュリンクパック包装硬貨Ｓを長手方向に傾斜させるようになっている。このような傾斜機構によっても、支持板部２９３ｂが支持するシュリンクパック包装硬貨Ｓの取り出しが極めて容易となる。１つのシュリンクパック包装硬貨Ｓを取り出してしまえば、残りのシュリンクパック包装硬貨を容易に取り出せることは勿論である。この場合も、回動する支持板部２９３ｂは、中央領域に限られず、どこでもよい。
【０１３６】
あるいは、一部のシュリンクパック包装硬貨だけを他のシュリンクパック包装硬貨からポップアップさせるポップアップ機構が採用されてもよい。このような形態の例を図２５及び図２６に示す。図２５及び図２６の形態例では、各シュリンクパック包装硬貨Ｓの底面を支持する各支持板部３９３ｂとハウジング部３９３ｈとの間に、ポップアップ用バネ３９３ｓが介在されていて、常時各支持板部３９３ｂを上側に付勢している一方、各ストッパ３９３ｐが各バネ３９３ａの付勢力によって、図２６（ａ）のように各支持板部３９３ｂの上端に当接して各シュリンクパック包装硬貨Ｓのポップアップを抑制している。操作者が、ストッパ３９３ｐをバネ３９３ａの付勢力に抗って図２６（ａ）の矢印方向に操作すると、ストッパ３９３ｐによるシュリンクパック包装硬貨Ｓのポップアップ抑制効果が解除されて、当該シュリンクパック包装硬貨Ｓがポップアップする。これにより、当該シュリンクパック包装硬貨Ｓの取り出しが極めて容易となる。
【０１３７】
ストッパ３９３ｐ及び圧縮バネ３９３ａを設ける代わりに、ノック式ボールペンのバネ機構、すなわち、一度押すと突出し再度押すと元に戻るバネ機構、を採用してもよい。
【０１３８】
この場合は、図２４と同様に、どこか１つのシュリンクパック包装硬貨Ｓの底面を支持する支持板部３９３ｂだけにこの機構を採用すれば充分である。
【符号の説明】
【０１３９】
１００  出納機
２００  現金管理装置
２１１  第１紙幣収納ドロア
２１２  第２硬貨収納ドロア
２１３  第１紙幣収納ドロア
２１４  第２硬貨収納ドロア
２１５  予備収納庫
２１１ｍ〜２１５ｍ  開閉電磁ロック
２２１〜２２４  紙幣保管容器
２４１〜２４３  硬貨保管容器
２４３ｂ  バラ包装硬貨収納部
２４３ｃ  カバー
２４３ｓ  ガイド部材
２４３ｒ  凹部
２６１  ロードセル
２９３ｈ  ハウジング部
２９３ｓ  軸部材
２９３ｃ  シュリンクパック包装硬貨ケース
２９３ｂ  支持板部
３９３ｈ  ハウジング部
３９３ｂ  支持板部
３９３ｓ  ポップアップ用バネ
３９３ａ  バネ
３９３ｐ  ストッパ
３４１〜３４３  硬貨保管容器
４４２〜４４３  硬貨保管容器
Ｓ  シュリンクパック包装硬貨
【図１】
2015046148.tif 000003
【図２】
2015046148.tif 000004
【図３】
2015046148.tif 000005
【図４】
2015046148.tif 000006
【図５】
2015046148.tif 000007
【図６】
2015046148.tif 000008
【図７】
2015046148.tif 000009
【図８】
2015046148.tif 000010
【図９】
2015046148.tif 000011
【図１０】
2015046148.tif 000012
【図１１】
2015046148.tif 000013
【図１２】
2015046148.tif 000014
【図１３】
2015046148.tif 000015
【図１４】
2015046148.tif 000016
【図１５】
2015046148.tif 000017
【図１６】
2015046148.tif 000018
【図１７】
2015046148.tif 000019
【図１８】
2015046148.tif 000020
【図１９】
2015046148.tif 000021
【図２０】
2015046148.tif 000022
【図２１】
2015046148.tif 000023
【図２２】
2015046148.tif 000024
【図２３】
2015046148.tif 000025
【図２４】
2015046148.tif 000026
【図２５】
2015046148.tif 000027
【図２６】
2015046148.tif 000028